(57)【要約】      （修正有）【課題】カートリッジのローディング完了状態では、ローディング機構から連動状態が切り離される扉開閉機構によって、カートリッジの２重挿入防止等を行うことができるようにすること。【解決手段】カートリッジ挿入口４を内側から開閉する開閉扉７と、カートリッジ挿入口４から開閉扉７を捩りコイルばね９に抗して内側へ押し開くようにしてイジェクト位置へ挿入されたカートリッジを内部へ引き込んでローディングするローディング機構と、ローディング及びイジェクトする動作区間の途中の区間で駆動される扉開閉機構２５であって、カートリッジのローディング完了前にローディング機構に対する連動状態が切り離されることによって、開閉扉７を閉状態にロックし、カートリッジのイジェクト開始後にローディング機構に対する連動状態が再開されることによって、開閉扉７を開くようになされた扉開閉機構２５とを備えたフロントローディング装置。【選択図】        図１
2004310875.tif 000002
【特許請求の範囲】
【請求項１】
フロントパネルのカートリッジ挿入口を内側から開閉する開閉扉と、
前記開閉扉を閉方向に付勢する付勢手段と、
前記カートリッジ挿入口から前記開閉扉を前記付勢手段に抗して内側へ押し開くようにしてイジェクト位置へ挿入されたカートリッジを内部へ引き込んでローディング位置へローディングするローディング機構とを備えた記録再生装置のフロントローディング装置において、
前記ローディング機構が前記カートリッジをイジェクト位置とローディング位置との間でローディング及びイジェクトする動作区間の途中の区間で駆動される扉開閉機構であって、前記カートリッジのローディング完了前に前記ローディング機構に対する連動状態が切り離されることによって、前記開閉扉を閉状態にロックし、前記カートリッジのイジェクト開始後に前記ローディング機構に対する連動状態が再開されることによって、前記開閉扉を開くようになされた扉開閉機構を備えた
ことを特徴とする記録再生装置のフロントローディング装置。
【請求項２】
前記ローディング機構はシャーシに対して複数の緩衝手段によってフローティングされていて、前記扉開閉機構が前記ローディング機構から切り離された取付ベースに取り付けられている
ことを特徴とする請求項１に記載の記録再生装置のフロントローディング装置。
【請求項３】
前記ローディング機構は前記カートリッジをイジェクト位置とローディング位置との間でローディング及びイジェクトするカートリッジホルダーを備え、
前記扉開閉機構は前記カートリッジホルダーに取り付けられた駆動手段によって駆動される従動手段で駆動されて、前記開閉扉を閉状態にロックする扉ロック手段と、前記開閉扉を開く扉開手段とを備えている
ことを特徴とする請求項１に記載の記録再生装置のフロントローディング装置。
【請求項４】
前記扉ロック手段と前記扉開手段が１つの手段で兼用されている
ことを特徴とする請求項３に記載の記録再生装置のフロントローディング装置。
【請求項５】
前記従動手段が支点を中心に回転されるように構成されていて、該従動手段には前記開閉扉を閉状態にロックするための前記駆動手段に対する第１連動部と、前記開閉扉を開くための前記駆動手段に対する第２連動部とを備えている
ことを特徴とする請求項３に記載の記録再生装置のフロントローディング装置。
【請求項６】
前記第２連動部は、前記駆動手段のローディング方向への移動時にはその駆動手段によって逃がされ、前記駆動手段のイジェクト方向への移動時に前記従動手段を駆動する一方向作動機能を備えている
ことを特徴とする請求項５に記載の記録再生装置のフロントローディング装置。
【発明の詳細な説明】
【０００１】
【発明の属する技術分野】
本発明は、ディスク状記録媒体やテープ状記録媒体等の記録媒体が収納されたカートリッジをローディングして記録及び／又は再生する記録再生装置のフロントローディング装置の技術分野に属するものである。
【０００２】
【従来の技術】
従来から、記録再生装置のフロントローディング装置では、通常、フロントパネルのカートリッジ挿入口を内側から開閉する開閉扉と、その開閉扉を閉方向に付勢する付勢手段を設けて、カートリッジをカートリッジ挿入口から内部のローディング機構（カートリッジコンパートメント）のカートリッジホルダー内に水平に挿入する時には、そのカートリッジによって開閉扉を付勢手段に抗して押し開いている。また、挿入されたカートリッジがローディング機構のカートリッジホルダーによってイジェクト位置からローディング位置へローディング完了された時には、そのローディング機構に物理的に完全に連動されている扉ロック及び開閉機構により開閉扉を閉状態にロックして、カートリッジの２重挿入防止を行う一方、カートリッジのイジェクト時に、開閉扉の自動開閉を行うようになされているものが一般的（例えば、特許文献１、２、３）である。
【特許文献１】
特開昭６１−２０６９６３号公報
【特許文献２】
特開昭６３−２５９８６４号公報
【特許文献３】
特開平  ８−１４７８４４号公報
【０００３】
【発明が解決しようとする課題】
しかし、このような従来の記録再生装置のフロントローディング装置では、ローディング機構に扉ロック及び開閉機構が物理的に完全に連動されているために、ローディング機構と扉ロック及び開閉機構との２つの機構の組立てに高い精度が要求されて、製造コストが高くつく。また、既に、カートリッジがローディングされている状態で、開閉扉を無理な力で押し開こうとした場合（カートリッジを間違って２重挿入しようとする時等）の負荷が開閉扉から扉ロック及び開閉機構を介してローディング機構に伝えられて、そのローディング機構にダメージを与えてしまい易い。更に、記録及び／又は再生中に、フロントパネルを有する外筐に外部振動が加えられた場合には、その外部振動が扉ロック及び開閉機構を介してローディング機構に直に伝達されてしまい、記録及び／又は再生のエラーを招き易い等の重大な欠陥があった。
【０００４】
本発明は、上記の問題を解決するためになされたものであって、カートリッジのローディング完了状態では、ローディング機構から連動状態が切り離される扉開閉機構によって、カートリッジの２重挿入防止等を行うことができるようにした記録再生装置のフロントローディング装置を提供することを目的としている。
【０００５】
【課題を解決するための手段】
上記の目的を達成するための本発明の記録再生装置のフロントローディング装置は、フロントパネルのカートリッジ挿入口を内側から開閉する開閉扉と、前記開閉扉を閉方向に付勢する付勢手段と、前記カートリッジ挿入口から前記開閉扉を前記付勢手段に抗して内側へ押し開くようにしてイジェクト位置へ挿入されたカートリッジを内部へ引き込んでローディング位置へローディングするローディング機構とを備えた記録再生装置のフロントローディング装置において、前記ローディング機構が前記カートリッジをイジェクト位置とローディング位置との間でローディング及びイジェクトする動作区間の途中の区間で駆動される扉開閉機構であって、前記カートリッジのローディング完了前に前記ローディング機構に対する連動状態が切り離されることによって、前記開閉扉を閉状態にロックし、前記カートリッジのイジェクト開始後に前記ローディング機構に対する連動状態が再開されることによって、前記開閉扉を開くようになされた扉開閉機構を備えたものである。
【０００６】
上記のように構成された本発明の記録再生装置のフロントローディング装置は、ローディング機構がカートリッジをイジェクト位置からローディング位置へローディングする際には、そのローディング完了前にローディング機構に対する連動状態が切り離されることによって、開閉扉を閉状態にロックし、ローディング機構がカートリッジをローディング位置からイジェクト位置へイジェクトする際には、そのイジェクト開始後にローディング機構に対する連動状態が再開されることによって、開閉扉を開くようになされた扉開閉機構を有するものである。
【０００７】
【発明の実施の形態】
以下、本発明をディスクドライブ装置に適用したフロントローディング装置の実施の形態を図を参照して説明する。
【０００８】
初めに、図９によって、記録再生装置であるディスクドライブ装置のローディング機構の概要について説明する。
まず、ディスクドライブ装置１の外筐２のフロントパネル２ａに横長のカートリッジ挿入口４が開口されていて、内部にディスク状記録媒体であるディスク５が水平に収納されているカートリッジ６がこのカートリッジ挿入口４から矢印ａ、ｂ方向に水平に出し入れ可能に構成されている。
そして、フロントパネル２ａの内側にカートリッジ挿入口４を内側から開閉する開閉扉７が取り付けられている。この開閉扉７は下端に設けられた支点ピン８を中心に矢印ｅ、ｆ方向に回転自在に取り付けられていて、付勢手段である捩りコイルばね９によって閉方向である矢印ｆ方向に回転付勢されている。
【０００９】
そして、ローディング機構１１のベース１２が外筐２内の底部２ｂに固着されたシャーシ１３上にゴムやスプリング等によって構成された複数の緩衝手段１４によってフローティング（振動的に浮かされていること）されている。
そして、このローディング機構（カートリッジコンパートメント）１１は、ローディング手段であるカートリッジホルダー１６を備えていて、このカートリッジホルダー１６は図示を省略したカートリッジホルダー駆動機構によって、図９に１点鎖線で示す水平上昇位置Ｐ１にてカートリッジ挿入口４に矢印ｂ方向から最も接近されたイジェクト位置Ｐ２と、それより後方である矢印ａ方向へ水平に移動されたイジェクト・ローディング中間位置Ｐ３と、そのローディング・イジェクト中間位置Ｐ３にて水平上昇位置Ｐ１と、それより下方である矢印ｃ方向に水平状態のまま下降されたローディング位置Ｐ４との間で矢印ａ、ｂ方向と矢印ｃ、ｄ方向とにＬ型の移動軌跡に沿って往復動されるように構成されている。
なお、ベース１２上には合計４本のカートリッジ位置決めピン１７、上部がディスクテーブル１８に構成されたスピンドルモータ１９、光ピックアップや磁気ヘッド等の光学方式、磁気方式、光磁気方式等のデータ記録再生手段２０が搭載されている。
【００１０】
ここで、ローディング機構１１のローディング・イジェクトの動作の概要について説明すると、ローディング時には、カートリッジ６がカートリッジ挿入口４から矢印ａ方向に挿入されて、そのカートリッジ６で開閉扉７を捩りコイルばね９に抗して図９に実線で示す閉位置から１点鎖線で示す開位置まで矢印ｅ方向に押し開くようにして、そのカートリッジ６がイジェクト位置Ｐ２に待機されているカートリッジホルダー１６内に矢印ａ方向に水平に挿入される。
そして、カートリッジ６がカートリッジホルダー１６内の所定位置まで挿入完了されると、そのカートリッジ６がカートリッジホルダー１６内の保持手段（図示せず）によって保持されると共に、そのカートリッジ挿入完了がセンサー（図示せず）によって検出されて、ローディングモータ（図示せず）が正回転駆動され、ローディング機構１１がローディング動作を開始する。
【００１１】
即ち、カートリッジ６がカートリッジホルダー１６によってイジェクト位置Ｐ２からローディング・イジェクト中間位置Ｐ３まで矢印ａ方向に水平に引き込まれた後、そのローディング・イジェクト中間位置Ｐ３からローディング位置Ｐ４まで水平状態のまま矢印ｃ方向へ下降されて、カートリッジ６が４本のカートリッジ位置決めピン１７上に水平に載置、位置決めされると共に、カートリッジ６内のディスク５がスピンドルモータ１９のディスクテーブル１８上に水平にチャッキングされて、そのディスク５がカートリッジ６内の中間位置へ浮上され、かつ、データ記録再生手段２０がカートリッジ６内のディスク５に下方から近接される。
そして、このカートリッジ６のローディング完了がセンサー（図示せず）によって検出されて、ローディングモータが停止される一方、スピンドルモータ１９によってカートリッジ６内のディスク５が回転駆動される。そして、この後、データの記録及び／又は再生の指令信号が出力されることによってデータ記録再生手段２０によりディスク５にデータの記録及び／又は再生が行われる。
【００１２】
なお、開閉扉７は、カートリッジ６がイジェクト位置Ｐ２からローディング・イジェクト中間位置Ｐ３まで矢印ａ方向に水平に引き込まれる途中で、そのカートリッジ６から外れて、捩りコイルばね９によって図９に１点鎖線で示す開位置から実線で示す閉位置まで矢印ｆ方向に回転されて、カートリッジ挿入口４を内側から自動的に閉じると共に、後述する扉開閉機構によってその開閉扉７が閉状態にロックされて、カートリッジ６の２重挿入が防止される。
なお、ディスク５のデータ記録及び／又は再生後に、イジェクト指令が出力されると、ローディングモータが逆回転駆動されて、ローディング機構１１がカートリッジホルダー１６をローディング位置Ｐ４からローディング・イジェクト中間位置Ｐ３まで矢印ｄ方向に水平に上昇した後、そのローディング・イジェクト中間位置Ｐ３からイジェクト位置Ｐ２まで矢印ｂ方向に水平に押し出すが、この際、後述する扉開閉機構によって開閉扉７が捩りコイルばね９に抗して矢印ｅ方向に強制的に開かれた後に、カートリッジ６がカートリッジ挿入口４からフロントパネル３の外方へ押し出される。そして、このカートリッジ６のイジェクトがセンサー（図示せず）によって検出されて、ローディングモータが停止される。なお、このイジェクト後に、オペレータがそのカートリッジ６をカートリッジ挿入口４の外部へ引き抜くと、開閉扉７が捩りコイルばね９によって再び閉位置へ矢印ｆ方向に回転されて、カートリッジ挿入口４が再び閉じられることになる。
【００１３】
次に、図１〜図８によって、ディスクドライブ装置１の扉開閉機構２５について説明する。
この扉開閉機構２５は、ディスクドライブ装置１の外筐２の一方の側板２ｃの内側に平行状に固着された板金等からなる垂直状の取付ベース２６に取り付けられていて、この扉開閉機構２５はローディング機構１１のカートリッジホルダー１６の一側部に配置されている。そして、回転自在のローラで構成された駆動手段２７が支軸２８によってローディング機構１１のカートリッジホルダー１６の一方の側面１６ａに水平状で回転自在に取り付けられている。
【００１４】
一方、回転レバーで構成された従動手段３１の後端が取付ベース２６の後端側の下部に回動支点である水平な回転支点３２の周りに上下方向である矢印ｇ、ｈ方向に回転自在に取り付けられている。そして、この従動手段３１の前端側寄り（矢印ｂ方向側）の下部位置に駆動手段２７に対する第１連動部３３が設けられ、この従動手段３１の第１連動部３３より後方側（矢印ａ方向側）の上部位置に駆動手段に対する第２連動部３４が設けられている。なお、第１連動部３３は従動手段３１の下端から内側方向（カートリッジホルダー１６側）へ水平状に折り曲げられた水平板で形成されている。また、第２連動部３４はほぼヘの字状に屈曲された板で形成されていて、この第２連動部３４の前端の側面部分が従動手段３１の側面に回動支点３５を介して回転自在に取り付けられていて、この第２連動部３４の後端側（矢印ａ方向側の端部）が回動支点３５を中心に上下方向である矢印ｉ、ｊ方向に回転自在に構成されている。なお、この第２連動部３４の後端側は従動手段３１との間に掛け渡された付勢手段である捩りコイルばね３６によって従動手段３１に対して矢印ｉ方向に回転付勢されて、従動手段３１のストッパー３７に当接して停止されるように構成されている。
【００１５】
そして、取付ベース２６の前端の上部に回転レバーで構成された操作手段３９の後端が水平な回転支点４０の周りに上下方向である矢印ｋ、ｍ方向に回転自在に取り付けられていて、この操作手段３９の前端の内側に回転自在のローラで構成された扉ロック手段兼用扉開手段４１が水平状の支軸４２によって回転自在に取り付けられている。そして、従動手段３１の前端と操作手段３９の中間との間に連動リンクで構成された連動手段４４が回動支点である一対の水平状の連結軸４５、４６を介して相互に回転自在に連結されている。そして、取付ベース２６の前端の下端と操作手段３９の後端との間に付勢手段である引張りコイルばね４７が掛け渡されていて、この引張りコイルばね４７によって操作手段３９が回転支点４０を中心に上方である矢印ｍ方向へ回転付勢され、これに連動して従動手段３１が回転支点２を中心に上方である矢印ｇ方向へ回転付勢されるように構成されている。なお、取付ベース２６の前端の上部位置には操作手段３９の上昇位置を規制するストッパー４８が一体に形成されている。
【００１６】
なお、開閉扉７はモールド部品（合成樹脂成形品）等にて形成されていて、この開閉扉７の扉開閉機構２５側の端部にはカム形状に形成された開動作用従動部５１が一体に成形されていて、この開閉扉７の開動作用従動部５１より前側（矢印ｂ方向側）で、かつ、その開動作用従動部５１より上方位置には開閉扉７の閉状態ロック部５２が一体に成形されている。そして、操作手段３９の前端の扉ロック手段兼用扉開手段４１が開動作用従動部５１と閉状態ロック部５２との間で上下方向である矢印ｋ、ｍ方向に回動されるように構成されている。
【００１７】
この扉開閉機構２５は以上のように構成されていて、次のように動作される。
即ち、図１〜図４に示すように、前述したローディング機構１１のカートリッジホルダー１６がイジェクト位置Ｐ２まで矢印ｂ方向へ引き出された状態では、カートリッジホルダー１６の駆動手段２７が図４の第１位置Ｐ１１にあり、この駆動手段２７の下部に従動手段３１の第１連動部３３が引張りコイルばね４７によって下方から当接されている。この時、操作手段３９の扉ロック手段兼用扉開手段４１が閉状態にある開閉扉７の開動作用従動部５１の上端の前側に位置決めされている。
従って、図３に１点鎖線で示すように、カートリッジ６がカートリッジ挿入口４からカートリッジホルダー１６内へ矢印ａ方向に挿入される際、開閉扉７がカートリッジ６で押されて捩りコイルばね９に抗して矢印ｅ方向に押し開かれると、開閉扉７の開動作用従動部５１が扉ロック手段兼用扉開手段４１から後方下方へ逃げる方向である矢印ｅ方向へ移動されることになり、カートリッジ６による開閉扉７のスムーズな押し開きが実行されることになる。
【００１８】
次に、前述したように、カートリッジホルダー１６内へのカートリッジ６の挿入後に、ローディング機構１１によるカートリッジ６のローディング動作が実行されて、カートリッジホルダー１６がカートリッジ６を図９に示したイジェクト位置Ｐ２からローディング・イジェクト中間位置Ｐ３まで矢印ａ方向へ水平に引き込む際には、カートリッジホルダー１６と一体に駆動手段２７が図４に示す第１位置Ｐ１１から第２位置Ｐ１２、第３位置Ｐ１３を経て第４位置Ｐ１４まで矢印ａ方向へ水平移動される。
この際、駆動手段２７が第１位置Ｐ１１から第２位置Ｐ１２まで従動手段３１の第１連動部３３上を矢印ａ方向へ水平移動される間に、カートリッジホルダー１６によって矢印ａ方向に引き込まれるカートリッジ６が開閉扉７から矢印ａ方向に外れる。すると、開閉扉７が捩りコイルばね９によって図４に示す開位置から図５及び図６に示す閉位置まで矢印ｆ方向に自動的に閉じられる。
【００１９】
そして、この開閉扉７が閉じられた直後に、駆動手段２７が従動手段３１の第１連動部３３上から矢印ａ方向に外れて第２位置Ｐ１２に達する。
すると、図５及び図６に示すように、操作手段３９が回転支点４０を中心に引張りコイルばね４７によって上方である矢印ｍ方向へ自動的に回転して、その操作手段３９の先端の扉ロック手段兼用扉開手段４１が既に閉じられている開閉扉７の閉状態ロック部５２の後側へ入り込んで、開閉扉７の矢印ｅ方向への開きを禁止する扉閉ロック状態が実行される。
従って、この後は、カートリッジ６の２重挿入が開閉扉７で禁止されることになる。
【００２０】
なお、駆動手段２７が図４の第２位置Ｐ１２から第３位置Ｐ１３を経て第４位置Ｐ１４まで矢印ａ方向に水平移動される間に、従動手段３１の第２連動部３４の後端側がその駆動手段２７によって引張りコイルばね３６に抗して支点軸３５を中心に上方である矢印ｊ方向へ一度押し上げられた後に、駆動手段２７を第２連動部３４の後方である矢印ａ方向に外れた時に、下方である矢印ｉ方向へ自動復帰して従動手段３１のストッパー３７上に再び当接されることになる。そして、この時点で、扉開閉機構２５に対する駆動手段５２の連動状態が自動的に切り離されたことになる。
そして、この後、カートリッジホルダー１６によってカートリッジ６が図９に示したローディング・イジェクト中間位置Ｐ３からローディング位置Ｐ４まで矢印ｃ方向に水平に下降される時には、駆動手段２７は従動手段３１に対する連動が切り離されたまま、図４に示す第４位置Ｐ１４にて上昇位置Ｐ１５から下降位置Ｐ１６まで矢印ｃ方向に下降されて、カートリッジ６のローディング動作が終了する。
【００２１】
次に、前述したローディング機構１１によるイジェクト動作が実行されて、カートリッジホルダー１６がカートリッジ６を図９に示したローディング位置Ｐ４からローディング・イジェクト中間位置Ｐ３まで矢印ｄ方向に水平に上昇されると、図４に示すように、カートリッジホルダー１６の駆動手段２７が第４位置Ｐ１４にて下降位置Ｐ１６から上昇位置Ｐ１５まで矢印ｄ方向へ上昇される。そして、カートリッジホルダー１６によってカートリッジ６を図９に示したローディング・イジェクト中間位置Ｐ３からイジェクト位置Ｐ２まで矢印ｂ方向へ水平に押し出す際に、カートリッジホルダー１６が図４に示す第４位置Ｐ１４から第３位置Ｐ１３、第２位置Ｐ１２を経て第１位置Ｐ１１まで矢印ｂ方向へ水平移動される。
【００２２】
この際、駆動手段２７が第４位置Ｐ１４から第３位置Ｐ１３まで矢印ｂ方向へ水平移動された間に、その駆動手段２７が従動手段３１の第２連動部３４の後端部上に乗り上げて、この時点で、扉開閉機構２５に対する駆動手段２７の連動状態が再開されることになる。そして、この駆動手段２７が第３位置Ｐ１３から第２位置Ｐ１２を経て第１位置Ｐ１１へ達する間に、図７及び図８に示すように、駆動手段２７が従動手段３１の第２連動部３４を下方である矢印ｈ方向へ押し下げることになる。ここで、前述したローディング時には、第２連動部３４が駆動手段２７に対して自動的に逃げ、イジェクト時には駆動手段２７によって第２連動部３４が矢印ｈ方向へ押し上げられる一方向動作機能が実行されることになる。
【００２３】
すると、従動手段３１が図５及び図６に示した上昇位置から回転支点３２を中心に引張りコイルばね４７に抗して図７及び図８に示す下降位置まで下方である矢印ｈ方向へ回転駆動されて、連動手段４４を介して操作手段３９が図５及び図６に示した上昇位置から図７及び図８に示す下降位置まで回転支点４０を中心に矢印ｋ方向へ回転駆動される。
この時、操作手段３９の前端の扉ロック手段兼用扉開手段４１が開閉扉７の開動作用従動部５１を矢印ｋ方向に駆動し、その開閉扉７が捩りコイルばね９に抗して図５及び図６に示す閉位置から図７及び図８に示す開位置まで矢印ｋ方向に自動的に開かれる。
【００２４】
そして、この後に、カートリッジホルダー１６が図９に示したイジェクト位置Ｐ２まで矢印ｂ方向へ水平移動されて、カートリッジ６が開状態の開閉扉７の上部を通過してカートリッジ挿入口４から外部（フロントパネル２ａの前方）へイジェクトされることになる。
なお、カートリッジホルダー１６が図９に示すイジェクト位置Ｐ２まで水平移動されると、カートリッジホルダー１６の駆動手段２７が図４に示す第２連動部３４上を矢印ｂ方向へ通過して、第１位置Ｐ１１まで矢印ａ方向に水平移動される。
【００２５】
そして、駆動手段２７が第２連動部３４上から矢印ｂ方向へ外れた瞬間に、図３及び図４に示すように操作手段３９が引張りコイルばね４７によって回転支点４０を中心に図７及び図８に示す下降位置から図３及び図４に示す上昇位置まで矢印ｍ方向へ回転復帰されて、扉ロック手段兼用扉開手段４１が当初の位置へ自動復帰される。そして、操作手段３９に連動手段４４で連動されている従動手段３１も回転支点３２を中心に図７及び図８に示す下降位置から図３及び図４に示す上昇位置（当初の位置）まで矢印ｇ方向へ回転復帰されて、その従動手段３１の第１連動部３３が駆動手段２７の下部に再び下方から当接される。
そして、イジェクト完了後に、カートリッジ６がオペレータによってカートリッジ挿入口４から矢印ｂ方向へ抜き取られると、図３及び図４に示すように、開閉扉７が捩りコイルばね９によって開位置から閉位置まで矢印ｆ方向に自動的に閉じて、操作手段３９の前端の扉ロック手段兼用扉開手段４１が開閉扉７の閉状態ロック部５２より下方で、開動作用従動部５１の上端の前側位置である当初の位置へ自動復帰されることになる。
【００２６】
以上、本発明の実施の形態について述べたが、本発明は上記した実施の形態に限定されることなく、本発明の技術的思想に基づいて各種の有効な変更が可能である。
【００２７】
【発明の効果】
以上のように構成された本発明の記録再生装置のフロントローディング装置は、ローディング機構がカートリッジをイジェクト位置からローディング位置へローディングする際には、そのローディング完了前にローディング機構に対する連動状態が切り離されることによって、開閉扉を閉状態にロックし、ローディング機構がカートリッジをローディング位置からイジェクト位置へイジェクトする際には、そのイジェクト開始後にローディング機構に対する連動状態が再開されることによって、開閉扉を開くようになされた扉開閉機構を有するので、開閉扉を閉状態にロックするための負荷がローディング機構に加えられることが全くない。ローディング機構と扉開閉機構の２つの機構の組立精度が大幅に緩和され、製造コストを大幅にダウンすることができる。また、カートリッジがローディングされている状態では扉開閉機構がローディング機構から完全に切り離されているので、開閉扉を無理な力で押し開こうとした場合（カートリッジを間違って２重挿入しようとする時等）の負荷が開閉扉から扉開閉機構を介してローディング機構に伝えられることが皆無であり、その負荷によってローディング機構にダメージを与えてしまうことが全くなく、高い信頼性を実現できる。また、記録媒体へのデータの記録及び／又は再生中に、フロントパネルを有する外筐に外部振動が加えられた場合にも、その外部振動が扉開閉機構を介してローディング機構に直に伝達されて、記録及び／又は再生のエラーを招くことがなく、記録及び／又は再生を高精度に行える。
【００２８】
また、本発明の記録再生装置のフロントローディング装置は、ローディング機構をシャーシに対して複数の緩衝手段によってフローティングし、扉開閉手段をローディング機構から切り離された取付ベースに取り付け、カートリッジホルダーに取り付けられた駆動手段によって扉開閉機構の従動手段を駆動して、開閉扉を閉状態にロックしたり、開閉扉を開閉駆動することにより、耐振性の向上や構造の簡素化を図ることができる。また、扉ロック手段と扉開手段を１つの手段で兼用したり、支点を中心に回転される従動手段に開閉扉を閉状態にロックするための駆動手段に対する第１連動部や開閉扉を開くための駆動手段に対する第２連動部を設けたり、第２連動部が駆動手段のローディング方向への移動時には逃がされて、イジェクト方向への移動時には従動手段を駆動するような一方向作動機能を備えることによって、構造の簡素化及び動作の確実性を実現できる。
【図面の簡単な説明】
【図１】本発明をディスクドライブ装置に適用したフロントローディング装置の扉開閉機構を説明する斜視図である。
【図２】図１の扉開閉機構の内側から見た斜視図及びＡ−Ａ矢視での部分断面図である。
【図３】同上の扉開閉機構のカートリッジ挿入前の当初の状態を示した側面図である。
【図４】図３の一部を切り欠いて示した側面図であって、カートリッジによる開閉扉の押し開き動作を説明する図面である。
【図５】同上の扉開閉機構のカートリッジの２重挿入を防止する開閉扉の閉状態のロックを説明する側面図である。
【図６】図５の一部を切り欠いて示した側面図である。
【図７】同上の扉開閉機構のカートリッジのイジェクト時の開閉扉の開動作を説明する側面図である。
【図８】図７の一部を切り欠いて示した側面図であって、駆動手段による従動手段の一方向動作機能を説明する図面である。。
【図９】本発明をディスクドライブ装置に適用したフロントローディング装置のローディング機構の概要を説明する一部切欠き側面図である。
【符号の説明】
１は記録再生装置であるディスクドライブ装置、２は外筐、２ａは外筐のフロントパネル、４はカートリッジ挿入口、５は記録媒体であるディスク、６はカートリッジ、７は開閉扉、８は支点ピン、９は開閉扉を閉方向へ付勢する手段である捩りコイルばね、１１はローディング機構、１２はベース、１３はシャーシ、１４は緩衝手段、１６はカートリッジホルダー、２５は扉開閉機構、２６は取付ベース、２７は駆動手段、３１は従動手段、３３は第１連動部、３４は第２連動部、３９は操作手段、４１は扉ロック手段兼用扉開手段、４４は連動手段、５１は開閉扉の開動作用従動部、５２は開閉扉の閉ロック部である。
【図１】
2004310875.tif 000003
【図２】
2004310875.tif 000004
【図３】
2004310875.tif 000005
【図４】
2004310875.tif 000006
【図５】
2004310875.tif 000007
【図６】
2004310875.tif 000008
【図７】
2004310875.tif 000009
【図８】
2004310875.tif 000010
【図９】
2004310875.tif 000011